(57)【要約】【課題】原稿に透過部材を擦らせて取り除くことにより透過部材に付着した塵埃を取り除くことができる原稿読取装置、および、これを備えた画像形成装置を提供する。【解決手段】画像形成装置１０は、ペーパガイド７５、７６、読取部７１を備えている。ペーパガイド７５、７６は、搬送路を構成する。ペーパガイド７５には読取ガラス７４が嵌め込まれている。読取部７１は、第１読取位置を原稿が通過するときに読取ガラス７４を透過する光を読み取る。読取ガラス７４は、搬送方向の上流側よりも下流側がペーパガイド７６側に突き出すように０．８°傾けて取り付けられている。【選択図】図３
2010212846.tif 000002
【特許請求の範囲】
【請求項１】
搬送路内を所定の搬送方向に沿って搬送される原稿の第１面及び第２面のそれぞれと対向する第１面部材及び第２面部材と、
前記第１面部材に取り付けられた透過部材と、
前記透過部材に面する位置を原稿が通過するときに前記透過部材に面する原稿の第１面の読取を行なう読取手段と、
を備え、
前記透過部材は、前記搬送方向の上流側よりも下流側が前記第２面部材側に突き出すように予め設定された角度だけ傾けて前記第１面部材に取り付けられている、
原稿読取装置。
【請求項２】
前記第１面部材は前記搬送路の上面を成し、前記第２面部材は前記搬送路の下面を成す、
請求項１に記載の原稿読取装置。
【請求項３】
前記第１面部材は前記搬送路の下面を成し、前記第２面部材は前記第１面部材側に突き出すように湾曲して前記搬送路の上面を成し、
前記透過部材の前記搬送方向における下流側の端部と隣接した前記第１面部材の一部には、前記透過部材の傾きに合わせるように傾斜面が形成されている、
請求項１に記載の原稿読取装置。
【請求項４】
前記第２面部材は、前記第１面部材と接近／離間する方向に変位可能に支持され、
前記第１面部材との間に所定の間隔が形成されるように前記第２面部材の前記第１面部材と接近する方向への変位を規制する規制部材と、
前記第１面部材側に前記第２面部材を付勢する付勢部材と、
をさらに備えた請求項１から３のいずれか１項に記載の原稿読取装置。
【請求項５】
請求項１から４のいずれか１項に記載の原稿読取装置と、
前記原稿読取装置が読み取った原稿画像に基づいて用紙に画像形成処理を行う画像形成部と、
を備えた画像形成装置。
【発明の詳細な説明】
【技術分野】
【０００１】
この発明は、原稿を搬送しつつ原稿の読取を行う原稿読取装置、および、これを備えた画像形成装置に関する。
【背景技術】
【０００２】
原稿読取装置の中には、原稿を搬送する搬送路と、搬送路に沿って原稿を搬送する搬送部材と、搬送路の一部を成すように取り付けられた透過部材と、透過部材と搬送路を挟んで向き合うよう配置された読取ユニットと、を備え、原稿が透過部材に面する読取位置を通過するときに原稿画像の読取を行なうものがある。
【０００３】
このような原稿読取装置の中には、搬送路の上面の一部を成すように画像読取面（透過部材）を設けることで、搬送路の下面の一部に画像読取面を設けた場合と比較して塵埃が画像読取面に溜まり難くしたものもある（例えば、特許文献１。）。
【先行技術文献】
【特許文献】
【０００４】
【特許文献１】特開２００８−１４７８７０号公報
【発明の概要】
【発明が解決しようとする課題】
【０００５】
しかし、上記特許文献１に示す原稿読取装置では、透過部材に付着した塵埃を取り除く構成を備えていないため、透過部材に付着した塵埃を除去することはできなかった。
【０００６】
このため、原稿ユニットが読み取った画像に透過部材に付着した塵埃が含まれてしまい、原稿画像の読取を精度良く行うことができないという問題があった。
【０００７】
そこで、本発明は、透過部材に付着した塵埃を取り除いて原稿を精度良く読み取ることができる原稿読取装置、および、これを備えた画像形成装置を提供することを目的とする。
【課題を解決するための手段】
【０００８】
この発明の原稿読取装置は、第１面部材、第２面部材、透過部材、読取手段を備えている。第１面部材及び第２面部材は、搬送路内を所定の搬送方向に沿って搬送される原稿の第１面及び第２面のそれぞれと対向する。透過部材は、第１面部材に取り付けられている。読取手段は、透過部材に面する位置を原稿が通過するときに透過部材に面する原稿の第１面の読取を行う。透過部材は、搬送方向の上流側よりも下流側が第２面部材側に突き出すように予め設定された角度だけ傾けて第１面部材に取り付けられている。
【０００９】
この構成では、透過部材は、搬送方向の上流側よりも下流側が第２面部材側に接近するように搬送路内にわずかに突き出している。
【００１０】
このため、原稿は透過部材に接触しつつ搬送路内を搬送され、透過部材に付着している塵埃は原稿によって取り除かれる。
【００１１】
この構成において、第１面部材は搬送路の上面を成し、第２面部材は搬送路の下面を成すものとすることが好ましい。このため、第１面部材は搬送路の上面を成し、第１面部材に取り付けられている透過部材には塵埃が付着し難い。
【００１２】
この構成において、第１面部材は搬送路の下面を成し、第２面部材は第１面部材側に突き出すように湾曲して搬送路の上面を成すものとし、透過部材の搬送方向における下流側の端部と隣接した第１面部材の一部には、透過部材の傾きに合わせるように傾斜面が形成されるものとすることが好ましい。これにより、湾曲した搬送路の下流側に向かって原稿をスムーズに案内することができる。
【００１３】
この構成において、第２面部材は第１面部材と接近／離間する方向に変位可能に支持され、第１面部材との間に所定の間隔が形成されるように第２面部材の第１面部材と接近する方向への変位を規制する規制部材と、第１面部材側に第２面部材を付勢する付勢部材とをさらに備えるものとすることが好ましい。これにより、第１面部材の傾きに応じて第２面部材を傾けることができる。
【００１４】
この発明の画像形成装置は、上記発明のいずれかに係る原稿読取装置と、原稿読取装置が読み取った原稿画像に基づいて用紙に画像形成処理を行う画像形成部とを備えている。
【００１５】
これにより、透過部材に付着している塵埃が原稿によって取り除かれるため、塵埃が含まれない原稿画像に基づいた画像形成処理を実行することができる。
【発明の効果】
【００１６】
この発明によれば、第１面部材に付着している塵埃を搬送される原稿によって取り除くことができるため、読取手段による原稿読取を精度良く行うことができる。
【図面の簡単な説明】
【００１７】
【図１】この発明の一実施施形態に係る画像形成装置の正面視における全体の構成を示す図である。
【図２】自動原稿搬送装置および読取部の周辺構成を示す概略図である。
【図３】搬送ローラ対から排紙ローラ対に至る原稿搬送路周辺の詳細な構成を示す図である。
【図４】Ａ−Ａ断面における矢視断面図である。
【図５】読取ガラスの周辺の構成を示す図である。
【図６】（Ａ）は、搬送方向の上流側で読取ガラスをペーパガイドに取り付けている支持部の断面構成を模式的に示す図である。（Ｂ）搬送方向の下流側で読取ガラスをペーパガイドに取り付けている支持部の断面構成を模式的に示す図である。
【発明を実施するための形態】
【００１８】
この発明の一実施形態に係る画像形成装置１０について図面を参照しつつ詳細に説明する。
【００１９】
図１に示すように、画像形成装置１０は、画像形成部１１、自動原稿搬送装置（原稿読取装置）１２、読取部（読取手段）７１、読取部（読取手段）９０、制御部５０を備え、原稿読取機能と画像形成機能とを備えた複合機である。画像形成装置１０は、用紙に多色及び単色の画像形成処理を行なう。
【００２０】
読取部９０は、上面に原稿載置台９２を有し、原稿載置台９２に載置された原稿の読取を行う。原稿載置台９２の端部に隣接して読取ガラス（透過部材）９３が設けられている。
【００２１】
自動原稿搬送装置１２は、読取ガラス９３に面する位置に原稿を逐次搬送し、読取ガラス９３に面する第２読取位置を原稿が通過するときに、原稿の第２面の読取を行う。
【００２２】
画像形成部１１は、露光ユニット１４、中間転写ベルトユニット６０、定着ユニット７０、画像形成ステーション２０Ｋ〜２０Ｙ、給紙部４０、排紙トレイ１７、２次転写ユニット３０を有し、用紙に画像形成処理を行なう。
【００２３】
画像形成ステーション２０Ｋ〜２０Ｙは、ブラック（Ｋ）、シアン（Ｃ）、マゼンタ（Ｍ）、イエロー（Ｙ）の各色のカラー画像に応じてそれぞれ配置され、ほぼ同一の構成を備えている。各画像形成ステーション２０Ｋ〜２０Ｙでは、各色に応じた４種類のトナー像を形成する。なお、図１では、画像形成ステーション２０Ｋのみ符号を付して示している。ここで、画像形成ステーション２０Ｋについて説明する。
【００２４】
画像形成ステーション２０Ｋは、感光体ドラム２２を有し、ブラック（Ｋ）のカラー画像に応じたトナー像を形成する。画像形成ステーション２０Ｋは、現像器２１、帯電器２４、クリーナユニット２３、中間転写ローラ６４が感光体ドラム２２の回転方向に沿ってこの順に配置されている。
【００２５】
現像器２１は、感光体ドラム２２にブラック（Ｋ）のトナーを供給し、感光体ドラム２２上に形成された静電潜像にトナーを吸着されて顕像化する。
【００２６】
クリーナユニット２３は、感光体ドラム２２周面に残留したトナーを回収し、導管を経由して排出する。帯電器２４は、感光体ドラム２２の表面を所定の電位に均一に帯電させるチャージャ型の帯電器である。
【００２７】
中間転写ローラ６４は、数百ボルト程度のプラス極性の転写バイアスが印加されている。一方、感光体ドラム２２に担持されるトナー像は、マイナス極性に帯電している。これにより、中間転写ベルト６１にトナー像を担持させている。
【００２８】
露光ユニット１４は、レーザ出射部及び反射ミラー等を備えたレーザスキャニングユニット（ＬＳＵ）である。露光ユニット１４は、帯電された感光体ドラム２２を入力された画像データに応じて露光することにより、その表面に画像データに応じた静電潜像を形成する機能を有する。
【００２９】
中間転写ベルトユニット６０は、感光体ドラム２２の上方に配置され、中間転写ベルト６１、中間転写ベルト駆動ローラ６２、中間転写ベルト従動ローラ６３、中間転写ベルトクリーニングユニット６５、等を有している。
【００３０】
中間転写ベルト６１は、中間転写ベルト従動ローラ６３、画像形成ステーション２０Ｙ、２０Ｍ、２０Ｃ、２０Ｋ、中間転写ベルト駆動ローラ６２を、この順に経由する方向へ回転するように張架されている。
【００３１】
中間転写ベルトクリーニングユニット６５は、中間転写ベルト６１に付着している残留トナーを回収する。
【００３２】
給紙部４０は、手差しトレイ１６、給紙カセット１５、レジストローラ対３３、繰り出し機構４１等を備えている。
【００３３】
給紙カセット１５は、画像形成処理に使用する用紙が積層されており、露光ユニット１４の下側に設けられている。手差しトレイ１６は、装置本体の側面側に設けられており給紙カセット１５と同様に給紙すべき用紙が載置される。排紙トレイ１７は、画像形成部１１の上方に設けられており画像形成部１１で画像形成処理を行なった用紙を集積する。
【００３４】
定着ユニット７０は、転写領域を通過した用紙を挟み込んで加熱処理及び圧着処理を施すローラ対を有している。これにより、用紙の表面に形成されているトナー像を定着させる。定着ユニット７０を通過した用紙は、排紙トレイ１７へ排出される。
【００３５】
繰り出し機構４１は、給紙カセット１５の端部に設けられており、給紙カセット１５に収納されている用紙を一枚ずつ搬送経路の下流側へ繰り出す。なお、手差しトレイ１６の端部にも繰り出し機構４１と同様の機能を有する繰り出し機構が設けられている。
【００３６】
レジストローラ対３３は、搬送経路の上流側から繰り出される用紙を一旦保持する。そして、中間転写ベルト６１に担持されているトナー像の先端を用紙の印刷位置の先端に合わせるタイミングで用紙を上流側の各中間転写ベルト６１および２次転写ユニット３０の間の転写領域へ搬送する。これにより、トナー像を用紙に転写することができる。
【００３７】
２次転写ユニット３０は、複数のローラによって張架された２次転写ベルトと、中間転写ベルト駆動ローラ６２との間に２次転写ベルト及び中間転写ベルト６１を挟み込むようにして圧接する圧接ローラを有している。
【００３８】
制御部５０は、画像形成部１１における用紙への画像形成処理を制御する。また、制御部５０は、自動原稿搬送装置１２における原稿読取を制御し、原稿の両面の画像データを用紙に画像形成処理させる。
【００３９】
図２に示すように、自動原稿搬送装置１２は、原稿トレイ８０、繰り出しローラ８１、搬送ローラ対８２、搬送ローラ対８３、搬送ローラ対８６、排紙ローラ対８４、排紙トレイ４０を有している。排紙ローラ対８４の直下流側には、排紙トレイ４０に連通する排紙口が設けられている。
【００４０】
読取部９０は、スキャナヘッド５４、受光部５５、光学ユニット５６等を有している。
【００４１】
スキャナヘッド５４は、直上方に光を照射する照射ランプ、照射ランプの照射した光の反射光を所定の経路に沿って反射させるミラー等からなる光学系を有している。スキャナヘッド５４の近傍には、レンズやミラー等からなる光学ユニット５６が配置されており、反射光はスキャナヘッド５４から光学ユニット５６を経由して受光部５５へ誘導される。
【００４２】
受光部５５は、複数のラインセンサから成るＣＣＤ（Charge Coupled Device）方式のイメージセンサである。
【００４３】
繰り出しローラ８１は、原稿トレイ８０に載置された原稿を一枚ずつ繰り出す。
【００４４】
図３に示すように、繰り出しローラ８１が繰り出した原稿は、搬送ローラ対８２によって第１読取領域３１へ送り込まれる。第１読取領域３１を通過した原稿は、搬送ローラ対８３、８６によって第２読取領域３２へ送り込まれる。第２読取領域を通過した原稿は、排紙ローラ対８４によって排紙トレイ４０へ排出される。
【００４５】
読取部７１は、読取センサ７３、ＬＥＤランプ７２、を有するＣＩＳ(Contact Image Sensor)方式のイメージセンサである。ＬＥＤランプ７２は、第１読取位置に光を照射する。読取センサ７３は、第１読取位置からの反射光を受光する。これより、原稿の第１面側の読取を行なうことができる。ここで、第１読取位置は、読取センサ７３の直下方に位置する読取ガラス７４近傍の位置に設定されている。
【００４６】
読取ガラス７４（透過部材）は、搬送路の上面を成すペーパガイド（第１面部材）７５の一部を貫通するように嵌め込まれている。一方、搬送路の下面を成すペーパガイド７６の読取ガラス７４に対向する位置には貫通孔が設けられている。ペーパガイド７６の貫通孔には面部材（第２面部材）７７が上下方向に変位可能に取り付けられている。ペーパガイド７５及びペーパガイド７６の間に形成されている搬送路は、本発明の搬送路に相当する。
【００４７】
図４に示すように、面部材７７は、支持部９５との間に介装された付勢ばね（付勢部材）７８によってペーパガイド７５側へ付勢されている。面部材７７の搬送路の幅方向の両端部にはスペーサ（規制部材）７９がそれぞれ設けられている。なお、図４では、スペーサ７９、ガラス板５２、シェーディング板５１についてのみハッチングを付して示しており、他の断面図示は適宜省略している。スペーサ７９は、搬送路を通過する原稿と接触しない位置にそれぞれ設けられている。スペーサ７９は、搬送方向の長さが読取ガラス７４と同じ長さとなるように設けられている。面部材７７と読取ガラス７４との間の隙間が、例えば０．６ｍｍとなるように所定の厚みに形成されている。これにより、面部材７７を読取ガラス７４側に平行な状態を保持しつつ付勢することができる。
【００４８】
なお、読取ガラス７４の変位に応じて面部材７７も変位するため、読取ガラス７４の取り付け位置を調整することにより面部材７７の位置も読取ガラス７４の変位に追従して変位させることができる。
【００４９】
本実施形態のように、面部材７７を変位可能に支持させることにより、面部材７７の取り付け時に面部材７７と読取ガラス７４との間の隙間が所定の間隔となるように容易に調整することができる。
【００５０】
本実施形態では、面部材７７を変位可能に支持する例を挙げているが、面部材７７を固定支持するものとしても良い。但し、面部材７７を変位可能に支持する方が読取ガラス７４との間の距離や、読取ガラス７４との間の平行度を容易に保持することができるのでより好適である。
【００５１】
また、面部材７７には読取ガラス７４と対向する位置にガラス板５２が嵌め込まれており、ガラス板５２の読取ガラス７４と離間する面にはシェーディング板５１が設けられている。シェーディング補正を行うときには、制御部５０は第２読取部７１にシェーディング板５１を読取らせてシェーディング補正を実行する。
【００５２】
なお、本実施形態では、読取部７１及び読取ガラス７４を搬送路の上面側に設ける例を挙げているが、読取部７１及び読取ガラス７４を搬送路の下面側に設けるものとしても良い。但し、読取ガラス７４を搬送路の下面側に設けると、読取ガラス７４に紙粉が付着し易くなるため本実施形態のように搬送路の上面側に設けるほうが好適である。
【００５３】
ここで、図５に示すように、読取ガラス７４は両端部を支持部７５Ａ、７５Ｂを介してペーパガイド７５に取り付けられている。
【００５４】
読取ガラス７４は、ペーパガイド７５に対して、例えば、０．８°程度傾斜するように両端部をそれぞれ支持部７５Ａ、７５Ｂによってペーパガイド７５に取り付けられている。これにより、搬送ローラ対８６から送り出される原稿を第１読取位置よりも上流側で読取ガラス７４を摺擦させている。このため、読取ガラス７４の第１読取位置に付着している紙粉等の塵埃を取り除くことができる。この結果、第２読取部７１による原稿読取を精度良く行うことができる。
【００５５】
図６（Ａ）に示すように、支持部７５Ａは、基材２０４を両面テープ２００、２０１で挟み込むようにして形成されている。図６（Ｂ）に示すように、支持部７５Ｂは、基材２０５を両面テープ２０２、２０３で挟み込むように形成されている。
【００５６】
基材２０４、２０５は、一例としてポリエチレンテレフタレート等の樹脂からなる部材である。基材２０５は、基材２０４よりも読取ガラス７４を例えば０．８°程度傾けるために必要な厚み分だけ厚くなるように形成されている。
【００５７】
このように、基材２０４、２０５の厚みを調整することにより簡便に読取ガラス７４の傾きを調整することができる。
【００５８】
また、読取ガラス７４の直上流側のペーパガイド７５の表面７５Ｃは、わずかに薄くなるように形成されている。そして、表面７５Ｃには摩擦抵抗の少ないシート材が貼り付けられている。これにより、原稿を下流側の読取ガラス７４へスムーズに案内することができる。
【００５９】
また、これにより、第２読取部７１が読取った塵埃が含まれない原稿の画像データに基づいて画像形成部１１に画像形成処理を実施させることができる。
【００６０】
なお、読取ガラス７４の傾斜角度は、原稿の搬送速度や原稿の厚みによる撓み難さ（コシの強さ）等を考慮して０．５°〜３°の範囲で適宜設定すれば良い。
【００６１】
特に、読取ガラス７４に付着している紙粉を原稿先端で効率良く擦り取ることができる。また、擦り取られた塵埃は、原稿とともに排紙トレイ４０へ排出される。このため、搬送路内に紙粉が溜まるといったことも防止することができる。
【００６２】
また、読取ガラス７４を傾けてペーパガイド７５に取り付ける代わりに、ペーパガイド７５を搬送ローラ対８６から送り出される原稿が読取ガラス７４を擦るように傾けることも考えられる。しかし、ペーパガイド７５を傾けた場合には、読取ガラス７４を傾ける場合と比較して傾斜角度の微調整が難しいという問題がある。このため、本実施形態のようにペーパガイド７５に対して読取ガラス７４を傾けて取り付ける方が、原稿と読取ガラス７４との当接具合の調節を容易に行うことができるという利点もある。
【００６３】
また、読取ガラス７４は、搬送方向の上流側の端部はペーパガイド７５との間に段差が生じないように取り付けられている。しかし、本発明は、これに限定されるものではない。例えば、第１読取位置よりも上流側で原稿が読取ガラス７４と当接するのであれば、読取ガラス７４の上流側の端部は、搬送路の上面よりも読取部７１側に位置するように取り付けても良い。
【００６４】
なお、読取ガラス７４を傾斜させて搬送路の上面を形成するペーパガイド７５に取り付けることにより、ペーパガイド７５の取り付け位置を変更することなく読取ガラス７４に対する原稿の当たり具合を調整することができるという利点もある。
【００６５】
ペーパガイド（第２面部材）９６は下方に湾曲した搬送路の湾曲部の内周側を形成している。案内部材（第１面部材）９４は、上記湾曲部の外周側を形成している。
【００６６】
案内部材（第１面部材）９４には読取ガラス９３が取り付けられている。読取ガラス９３は、搬送方向の上流側よりも下流側が搬送路内にわずかに突出するように所定の角度だけ傾けて案内部材９４に取り付けられている。ここで、上記所定の角度は、搬送ローラ対８２によって搬送される原稿が第２読取位置よりも上流側で読取ガラス９３に接触するように設定されている。これにより、読取ガラス９３に当接する原稿によって第２読取位置に付着している塵埃を取り除いている。
【００６７】
案内部材９４には、傾斜部９４Ｓが設けられている。傾斜部９４Ｓは、読取ガラス９３の直下流側に隣接する搬送路面を形成している。傾斜部９４Ｓは、搬送方向に沿って上方に傾斜している。これにより、原稿を搬送方向の下流側にスムーズに誘導することができる。
【００６８】
本実施形態では、案内部材９４は図示しないフレームに固定支持されているが、装置の仕様に応じて面部材７７と同様に上下方向に変位可能に支持されるものとしても良い。
【００６９】
なお、本実施形態では、搬送路の一部にペーパガイド９６及び案内部材９４によって形成される湾曲部を設ける例を挙げているが、本発明は、これに限定されるものではない。湾曲部は設けないものとしても良い。
【００７０】
上記実施形態では、画像形成装置１０は、原稿の両面の読取を行なう例を挙げている。しかし、本発明は、これに限定されるものではない。例えば、原稿の第１面のみを読み取るものとしても良い。この場合には、読取部９０を設けないものとしても良い。また、原稿の第２面のみを読み取るものとしても良い。この場合には、第２読取部７１を設けないものとしても良い。
【００７１】
上記実施形態では、画像形成装置１０に自動原稿搬送装置１２が備えられている例を挙げている。しかし、本発明はこれに限定されるものではない。例えば、原稿を逐次搬送しながら原稿の読取を行なう原稿読取装置に本発明を適用するものとして良い。
【００７２】
なお、図３〜図６において断面表記は適宜省略して示している。
【００７３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【符号の説明】
【００７４】
１２      自動原稿搬送装置（原稿読取装置）
７１      読取部（読取手段）
７４      読取ガラス（透過部材）
７５      ペーパガイド（第１面部材）
７６      ペーパガイド（第２面部材）
【図１】
2010212846.tif 000003
【図２】
2010212846.tif 000004
【図３】
2010212846.tif 000005
【図４】
2010212846.tif 000006
【図５】
2010212846.tif 000007
【図６】
2010212846.tif 000008